(57)【要約】【課題】電線に作用する引っ張り力によるコネクタへのダメージを極力防止できるコネクタ用プロテクタを提供する。【解決手段】コネクタ１より引き出された電線Ｗを配索する電線通路１６が設けられ、この電線通路１６は、コネクタ１からの電線引き出し方向に沿って電線Ｗを配索する第１通路部１７と、この第１通路部１７に対して配索方向を変えて電線Ｗを配索する第２通路部１８と、この第２通路部１８に対して配索方向を変えて電線Ｗを配索する第３通路部１９とから構成され、第２通路部１８と第３通路部１９との境界位置で、且つ内側コーナには、第３通路部１９の逆方向に突出する電線干渉用リブ２０が設けられた。【選択図】      図３
2004288545.tif 000002
【特許請求の範囲】
【請求項１】
コネクタより引き出された電線を配索する電線通路が設けられ、前記電線通路は、前記コネクタからの電線引き出し方向に沿って前記電線を配索する第１通路部と、該第１通路部に対して配索方向を変えて前記電線を配索する第２通路部と、該第２通路部に対して配索方向を変えて前記電線を配索する第３通路部とから構成され、前記第２通路部と前記第３通路部との境界位置で、且つ内側コーナには、前記第３通路部の逆方向に突出する電線干渉用リブが設けられたことを特徴とするコネクタ用プロテクタ。
【請求項２】
請求項１記載のコネクタ用プロテクタであって、
前記電線の端部に接続された端子は、前記コネクタハウジングのキャビティ内に配置され、このキャビティの内周面との間にはシールド部材が介在されていることを特徴とするコネクタ用プロテクタ。
【請求項３】
請求項１又は請求項２に記載のコネクタ用プロテクタであって、
前記第３通路部には、コルゲートチューブの外周形状に填り込む凹凸部が設けられていることを特徴とするコネクタ用プロテクタ。
【請求項４】
請求項１乃至請求項３のいずれか一項に記載された記載されたコネクタ用プロテクタであって、
前記第１通路部と前記第２通路部との方向変更角度、及び前記第２通路部と前記第３通路部との方向変更角度は、共にほぼ直角であることを特徴とするコネクタ用プロテクタ。
【請求項５】
請求項１乃至請求項４のいずれか一項に記載されたコネクタ用プロテクタであって、
ベース部材とカバー部材とこれらを連結するヒンジ部とから構成され、前記ベース部材と前記カバー部材の互いの内面を開放する開放状態と、前記ベース部材と前記カバー部材の互いの接合面を合わせた組み付け状態との間で前記ヒンジ部を介して変移自在に設けられたことを特徴とするコネクタ用プロテクタ。
【請求項６】
請求項５記載のコネクタ用プロテクタであって、
前記ベース部材と前記カバー部材には、組み付け状態で前記ベース部材と前記カバー部材をロックするロック手段が設けられ、このロック手段は、前記ヒンジ部より遠い前記接合面側の箇所と、前記ヒンジ部に近い前記接合面側の箇所とにそれぞれ設けられたことを特徴とするコネクタ用プロテクタ。
【発明の詳細な説明】
【０００１】
【発明の属する技術分野】
本発明は、コネクタ及びコネクタより引き出された電線を保護するコネクタ用プロテクタに関する。
【０００２】
【従来の技術】
従来のコネクタ用プロテクタとしては、図７〜図９に示すようなものが知られている（例えば、特許文献１参照。）。
【０００３】
図７〜図９に示すように、コネクタ１００はコネクタハウジング１０１を有し、このコネクタハウジング１０１には複数のキャビティ１０２が設けられている。この各キャビティ１０２内には、電線Ｗの端末に接続された端子１０３が後方面側から挿入されることによって収容されている。電線Ｗの端末部分の外周には防水ゴム１０４が装着され、この防水ゴム１０４はキャビティ１０２内の後方入口付近に嵌合され、この防止ゴム１０４によってキャビティ１０２内がシールドされている。
【０００４】
コネクタ用プロテクタ１０５は、コネクタハウジング１０１の後端部にヒンジ部１０６を介して連結されている。コネクタ用プロテクタ１０５は平板状を有し、ヒンジ部１０６の反対側の端部には係合弾性突起１０７が突設されている。コネクタ用プロテクタ１０５を図７及び図８の開放状態から図９の閉塞状態にすると、係合弾性突起１０７がコネクタハウジング１０１の係合爪１０８に係合される。閉塞状態に位置するコネクタ用プロテクタ１０５は、コネクタハウジング１０１の後方面に対して所定の間隔Ｌで離間した状態で対向するようになっている。コネクタハウジング１０１の後方面から引き出された複数の電線Ｗは、コネクタ用プロテクタ１０５との隙間部分で引き出し方向Ａに対しほぼ直角方向に折り曲げられ、コネクタハウジング１０１とコネクタ用プロテクタ１０５との側方の隙間より引き出されている。
【０００５】
このコネクタ用プロテクタ１０５によれば、コネクタ１００の後方面より引き出された電線Ｗの後方側をカバーすることができる。
【０００６】
【特許文献１】
特開平１０−１５４５４５号公報、第１頁、図１
【０００７】
【発明が解決しようとする課題】
しかしながら、上記した従来のコネクタ用プロテクタ１０５では、図８及び図９に示すように、電線Ｗに引っ張り力ｆが作用すると、この引っ張り力ｆがコネクタ１００に直接作用するため、コネクタ１００に悪影響を与えるという問題がある。
【０００８】
また、電線Ｗに引っ張り力ｆが作用すると、コネクタ１００からの電線Ｗの引き出し方向Ａに対し斜め方向（ほぼ直角方向）に引っ張られるため、この引っ張り力ｆによって防水ゴム１０４が弾性変形してコネクタ１００のキャビティ１０２に隙間ができ、防水性の点で課題がある。
【０００９】
そこで、本発明は、上記した課題を解決すべくなされたものであり、電線の引っ張り力がコネクタにまで作用することを十分に抑制でき、電線に作用する引っ張り力によるコネクタへのダメージを防止できるコネクタ用プロテクタを提供することを目的とする。
【００１０】
また、本発明は、コネクタの防水性を高めるコネクタ用プロテクタを提供することを目的とする。
【００１１】
【課題を解決するための手段】
請求項１記載の発明は、コネクタより引き出された電線を配索する電線通路が設けられ、この電線通路は、前記コネクタからの電線引き出し方向に沿って前記電線を配索する第１通路部と、この第１通路部に対して配索方向を変えて前記電線を配索する第２通路部と、この第２通路部に対して配索方向を変えて前記電線を配索する第３通路部とから構成され、前記第２通路部と前記第３通路部との境界位置で、且つ、内側コーナには、前記第３通路部の逆方向に突出する電線干渉用リブが設けられたことを特徴とする。
【００１２】
このコネクタ用プロテクタでは、コネクタより引き出された電線は第１通路部及び第２通路部の境界箇所と、第２通路部及び第３通路部の境界箇所の２箇所で折曲した状態で電線通路内に配索され、且つ第２通路部と第３通路部の境界箇所では電線が電線干渉用リブに干渉された状態となるため、電線に引っ張り力が作用するとその引っ張り力の少なくとも一部を電線干渉用リブが受ける。また、電線が２箇所で折曲され、引っ張り力が作用すると電線の各折曲箇所が折曲状態を弱める方向に配索状態を変移して引っ張り力を吸収する。
【００１３】
請求項２記載の発明は、請求項１記載のコネクタ用プロテクタであって、電線の端部に接続された端子は、コネクタハウジングのキャビティ内に配置され、このキャビティの内周面との間にはシールド部材が介在されていることを特徴とする。
【００１４】
このコネクタ用プロテクタでは、請求項１の発明の作用により、電線に作用した引っ張り力がコネクタに弱められて伝達され、また、第１通路部に配索された電線の箇所に引っ張り力が作用しても、第１通路部に配索されている電線は引き出し方向とほぼ同一方向にしか引っ張られず、引き出し方向の斜め方向に引っ張られないため、シールド部材が弾性変形してコネクタのキャビティに隙間ができることがない。
【００１５】
請求項３記載の発明は、請求項１又は請求項２記載のコネクタ用プロテクタであって、前記第３通路部には、コルゲートチューブの外周形状に填り込む凹凸部が設けられていることを特徴とする。
【００１６】
このコネクタ用プロテクタでは、請求項１及び請求項２の発明の作用に加え、コルゲートチューブを確実に連結、保持することができる。
【００１７】
請求項４記載の発明は、請求項１乃至請求項３に記載されたコネクタ用プロテクタであって、前記第１通路部と前記第２通路部との方向変更角度、及び、前記第２通路部と前記第３通路部との方向変更角度は、共にほぼ直角であることを特徴とする。
【００１８】
このコネクタ用プロテクタでは、請求項１〜請求項３の発明の作用に加え、コネクタより引き出された電線は第１通路部及び第２通路部の境界箇所と、第２通路部及び第３通路部の境界箇所の２箇所でほぼ直角に折曲した状態で電線通路内に配索される。
【００１９】
請求項５の発明は、請求項１乃至請求項４のいずれか一項に記載されたコネクタ用プロテクタであって、ベース部材とカバー部材とこれらを連結するヒンジ部とから構成され、前記ベース部材と前記カバー部材の互いの内面を開放する開放状態と、前記ベース部材と前記カバー部材の互いの接合面を合わせた組み付け状態との間で前記ヒンジ部を介して変移自在に設けられたことを特徴とする。
【００２０】
このコネクタ用プロテクタでは、請求項１〜請求項４の発明の作用に加え、ベース部材とカバー部材とを組み付けしない開放状態としてベース部材の内面の電線通路部分に電線を配置し、その後にベース部材とカバー部材とを組み付け状態にすれば電線を電線通路に沿って配索できる。
【００２１】
請求項６記載の発明は、請求項５記載のコネクタ用プロテクタであって、前記ベース部材と前記カバー部材には、組み付け状態で前記ベース部材と前記カバー部材をロックするロック手段が設けられ、このロック手段は、前記ヒンジ部より遠い前記接合面側の箇所と、前記ヒンジ部に近い前記接合面側の箇所とにそれぞれ設けられたことを特徴とする。
【００２２】
このコネクタ用プロテクタでは、請求項５の発明の作用に加え、ヒンジ部に遠い側のみならず近い側もロック手段によってそれぞれロックされる。
【００２３】
【発明の実施の形態】
以下、本発明に係るコネクタ用プロテクタ詳細を図面に示す実施の形態に基づいて説明する。
【００２４】
図１〜図６は本発明の実施の形態を示し、図１は電線Ｗの端部に設けられた端子４をコネクタ１に装着する前の状態を示す斜視図、図２はコネクタ１にコネクタ用プロテクタ１０を装着する前の状態を示す斜視図、図３はコネクタ１にコネクタ用プロテクタ１０を装着し、電線Ｗをベース部材１１の所定位置に配置した状態を示す斜視図、図４は図３の状態の平面図、図５はコルゲートチューブ３０をベース部材１１に位置合わせした状態を示す斜視図、図６はベース部材１１とカバー部材１２が組み付け状態であるコネクタ用プロテクタ１０の断面図である。
【００２５】
図１及び図２に示すように、コネクタ１は、自動車のエンジン下部等のように被水性の高い場所に使用され、そのコネクタハウジング２には複数のキャビティ３が設けられている。この各キャビティ３内には、電線Ｗの端末に接続された端子４が後方面側から挿入されることによって収容されている。電線Ｗの端末部分の外周にはシールド部材である略筒状の防水ゴム５が装着され、この防水ゴム５はキャビティ３内の後方入口付近に嵌合される。この防水ゴム５によってキャビティ３の後方からの水の進入が阻止される。また、コネクタハウジング２の後面側にはコネクタ用プロテクタ１０がロックされる係合爪６が設けられている。
【００２６】
コネクタ用プロテクタ１０は、図２〜図６に示すように、ベース部材１１とカバー部材１２とこれらを連結するヒンジ部１３とから構成されている。ベース部材１１とカバー部材１２は、互いの内面を開放する開放状態（図２に示す状態）と、互いの接合面１１ａ，１２ａを合わせた組み付け状態との間でヒンジ部１３の撓み変形によって変移自在に設けられている。
【００２７】
ベース部材１１は、コネクタ１を装着するコネクタ装着部１４を有し、このコネクタ装着部１４にはコネクタハウジング２の後方側を挿入した状態でコネクタ１が装着される。コネクタ装着部１４は、装着されたコネクタハウジング２の後方面の外側をほぼ完全に被う形状を有し、装着されたコネクタハウジング２の係合爪６に係合する係合弾性突起１５が設けられている。
【００２８】
また、コネクタ用プロテクタ１０には、コネクタハウジング２の後面より引き出された複数の電線Ｗを配索する電線通路１６が設けられている。この電線通路１６は、ベース部材１１に設けられ、コネクタ装着部１４の下方位置で、且つ、コネクタ１からの電線引き出し方向Ａに沿って電線Ｗを配索する第１通路部１７と、ベース部材１１に設けられ、第１通路部１７に対してほぼ直角方向に電線Ｗを配索する第２通路部１８と、ベース部材１１及びカバー部材１２の両部材によって設けられ、第２通路部１８に対してほぼ直角方向に電線Ｗを配索する第３通路部１９とから構成されている。従って、コネクタ１より引き出された電線Ｗは、第１通路部１７及び第２通路部１８の境界位置と、第２通路部１８及び第３通路部１９の境界位置との２箇所でほぼ直角方向に折曲された状態で電線通路１６に配索される。
【００２９】
ベース部材１１の第２通路部１８と第３通路部１９との境界位置で、且つ、内側コーナには、第３通路部１９の逆方向に突出する電線干渉用リブ２０が設けられている。ベース部材１１の第２通路部１８と第３通路部１９との境界位置で、且つ、外側コーナには、第３通路部１９の延びる方向に突出する補助リブ２１が設けられている。従って、第２通路部１８と第３通路部１９の境界位置は、電線干渉用リブ２０と補助リブ２１によって狭くなっており、この狭い間を通って電線Ｗが第２通路部１８から第３通路部１９に配索される。
【００３０】
電線干渉用リブ２０と補助リブ２１の互いに対向する側端面は、その上方箇所が外側テーパ状に形成されており、電線通路１６への電線Ｗの配索が容易にできるようになっている。
【００３１】
第３通路部１９は、上述したようにベース部材１１とカバー部材１２の両部材によって形成されており、各部材１１，１２の第３通路部１９の出口側の内面にはコルゲートチューブ３０の外周形状に填り込む凹凸部２２がそれぞれ設けられている。
【００３２】
また、ベース部材１１とカバー部材１２には、組み付け状態でこれら部材１１，１２間をロックするロック手段２３，２４，２５が設けられている。このロック手段２３，２４，２５は３箇所に設けられており、２箇所のロック手段２３，２４は、ヒンジ部１３より遠い接合面１１ａ，１２ａ側の箇所に設けられ、ベース部材１１に設けられた係合爪２３ａ，２４ａとベース部材１２に設けられた係合弾性突起２３ｂ，２４ｂとからそれぞれ構成されている。他の１箇所のロック手段２５は、ヒンジ部１３に近い接合面１１ａ，１２ａ側の箇所に設けられ、ベース部材１１に設けられた係合孔２５ａとカバー部材１２に設けられた係合弾性突起２５ｂとから構成されている。
【００３３】
以下、コネクタ１の組み付け作業、及び、組み付けられたコネクタ１へのコネクタ用プロテクタ１０の組み付け作業を説明する。図１に示すように、複数の電線Ｗにゴム部材５を装着すると共に各電線Ｗの端末に端子４を圧着接続する。端子４を接続した複数の電線Ｗを束ね、これらの外周にコルゲートチューブ３０を通す。
【００３４】
次に、複数の電線Ｗの端末に接続された端子４をコネクタハウジング２の後方より各キャビティ３にそれぞれ挿入し、コネクタハウジング２に複数の端子４を装着する。その後に、リテーナ等の装着をしてコネクタ１の組み付けを完了する。
【００３５】
次に、図２に示すように、コネクタハウジング２の後面側にコネクタ用プロテクタ１０のコネクタ装着部１４を挿入する。この挿入の際には、図３及び図４に示すように、コネクタ１より引き出された複数の電線Ｗをベース部材１１の第１通路部１７、第２通路部１８及び第３通路部１９に配索しつつ行う。具体的には、コネクタ１より引き出された電線Ｗを２箇所でほぼ直角方向に折曲することによって電線通路１６に沿わせる。そして、コネクタ用プロテクタ１０がコネクタハウジング２に完全に挿入されると、係合弾性突起１５と係合爪６が係合してコネクタ用プロテクタ１０がコネクタ１にロックされる。これによって、図３及び図４に示すように、コネクタ用プロテクタ１０がコネクタ１に装着される。
【００３６】
その後、図５に示すように、ベース部材１１の第３通路部１９の凹凸部２２にコルゲートチューブ３０の一部を位置合わせして填め合わせる。
【００３７】
次に、図５のＢ矢印方向にカバー部材１２を回転し、カバー部材１２とベース部材１１とを組み付け状態とする（図６参照）。ベース部材１１とカバー部材１２が完全に組み付け状態とされると、３箇所のロック手段２３，２４，２５が係合状態となり、これでベース部材１１とカバー部材１２とがロックされる。コルゲートチューブ３０は、そのコネクタ用プロテクタ１０側の一部がベース部材１１とカバー部材１２の双方の凹凸部２２によって嵌合され、これによってコネクタ用プロテクタ１０に装着される。
【００３８】
以上より、コネクタ１に対してコネクタ用プロテクタ１０及びコルゲートチューブ３０が一体に装着される。そして、コネクタ１より引き出された電線Ｗは、コネクタ用プロテクタ１０の電線通路１６に配索された状態でコネクタ用プロテクタ１０によって保護される。また、コネクタ用プロテクタ１０より導き出された電線Ｗは、コルゲートチューブ３０内に配索されることによって保護される。
【００３９】
このコネクタ用プロテクタ１０では、コネクタ１より引き出された電線Ｗは、第１通路部１７及び第２通路部１８の境界箇所と、第２通路部１８及び第３通路部１９の境界箇所の２箇所で折曲した状態で電線通路１６内に配索され、且つ、第２通路部１８と第３通路部１９の境界箇所では電線Ｗが電線干渉用リブ２０に干渉された状態となる。従って、電線Ｗに引っ張り力ｆ（図３、図６に示す）が作用すると、その引っ張り力ｆの少なくとも一部を電線干渉用リブ２０が受ける。また、電線Ｗが２箇所で折曲され、引っ張り力ｆが作用すると電線Ｗの各折曲箇所が折曲状態を弱める方向（最短配索方向）に配索状態を変更等して引っ張り力ｆを吸収する。以上より、電線Ｗの引っ張り力ｆが十分に吸収された状態でコネクタ１に伝達し、電線Ｗに作用する引っ張り力ｆによるコネクタ１へのダメージを極力防止できる。
【００４０】
上記実施の形態では、電線Ｗの端部に接続された端子４は、コネクタ１のキャビティ３内に配置され、このキャビティ３内に配置された電線Ｗの外周面とキャビティ３の内周面との間にはゴム部材５が介在されているので、上述したように電線Ｗに作用した引っ張り力ｆがコネクタ１に弱められて伝達され、また、第１通路部１７に配索された電線Ｗの箇所に引っ張り力ｆが作用しても、第１通路部１７に配索されている電線Ｗは引き出し方向Ａとほぼ同一方向にしか引っ張られず、引き出し方向Ａの斜め方向に引っ張られない。従って、ゴム部材５が弾性変形してコネクタ１のキャビティ３に隙間ができることがなく、高い防水性を維持できる。つまり、コネクタ１が自動車のエンジン下部等のように被水性の高い場所に使用される場合にあっても、コネクタ１の防水性を確保できる。
【００４１】
上記実施の形態では、第３通路部１９にはコルゲートチューブ３０の外周形状に填り込む凹凸部２２が設けられているので、コネクタ用プロテクタ１０にコルゲートチューブ３０を連結できるため、コネクタ用プロテクタ１０より引き出された電線Ｗをコルゲートチューブ３０によって保護できる。また、上記実施の形態では、第３通路部１９がベース部材１１とカバー部材１２の両部材によって形成され、これら部材の組み付けと同時にコルゲートチューブ３０を装着できるため、コルゲートチューブ３０を容易に装着できる。
【００４２】
さらに、上記実施の形態では、第１通路部１７と第２通路部１８との方向変更角度、及び第２通路部１８と第３通路部１９との方向変更角度は、共にほぼ直角であるので、コネクタ１より引き出された電線Ｗは第１通路部１７及び第２通路部１８の境界箇所と、第２通路部１８及び第３通路部１９の境界箇所の２箇所でほぼ直角に折曲した状態で電線通路１６内に配索される。従って、電線Ｗの引っ張り力ｆを十分に吸収できる。
【００４３】
また、上記実施の形態では、コネクタ用プロテクタ１０は、ベース部材１１とカバー部材１２とこれらを連結するヒンジ部１３とから構成され、ベース部材１１とカバー部材１２の互いの内面を開放する開放状態と、ベース部材１１とカバー部材１２の互いの接合面１１ａ，１２ａを合わせた組み付け状態との間をヒンジ部１３の撓み変移によって変移自在に設けられたので、ベース部材１１とカバー部材１２とを組み付けしない開放状態としてベース部材１１の内面の電線通路部分に電線Ｗを配置し、その後にベース部材１１とカバー部材１２とを組み付け状態にすれば電線Ｗを電線通路１６に沿って配索できる。従って、電線Ｗの配索が容易にできる。
【００４４】
そして、上記実施の形態では、ベース部材１１とカバー部材１２には、組み付け状態でベース部材１１とカバー部材１２をロックするロック手段２３，２４，２５が設けられ、このロック手段２３，２４，２５は、ヒンジ部１３より遠い接合面１１ａ，１２ａ側の箇所と、ヒンジ部１３に近い接合面１１ａ，１２ａ側の箇所とにそれぞれ設けられたので、ヒンジ部１３に遠い側のみならず近い側もロック手段２３，２４，２５によってそれぞれロックされる。従って、ヒンジ部１３が破壊した場合にもベース部材１１とカバー部材１２の組み付け状態を保持できる。
【００４５】
以上、本発明の実施の形態について説明したが、上記の実施の形態の開示の一部をなす論述および図面はこの発明を限定するものであると理解するべきではない。この開示から当業者には様々な代替実施の形態、実施例及び運用技術が明らかとなろう。
【００４６】
例えば、上記実施の形態では、コネクタ用プロテクタ１００に３つのロック手段２３，２４，２５を設けているが、ロック手段の種類や数は、適宜変更が可能である。
【００４７】
【発明の効果】
以上の説明から明らかなように、請求項１の発明によれば、コネクタより引き出された電線を配索する電線通路を有し、この電線通路は互いに配索方向が異なる第１通路部、第２通路部及び第３通路部から構成されたので、コネクタより引き出された電線は第１通路部及び第２通路部の境界箇所と、第２通路部及び第３通路部の境界箇所の２箇所で折曲した状態で電線通路内に配索され、且つ第２通路部と第３通路部の境界箇所では電線が電線干渉用リブに干渉された状態となる。従って、電線に引っ張り力が作用するとその引っ張り力の少なくとも一部を電線干渉用リブが受ける。また、電線が２箇所で折曲され、引っ張り力が作用すると電線の各折曲箇所が折曲状態を弱める方向に配索状態を変移等して引っ張り力を吸収する。以上より、電線の引っ張り力が十分に吸収された状態でコネクタに伝達し、電線に作用する引っ張り力によるコネクタへのダメージを抑制できる。
【００４８】
請求項２の発明によれば、請求項１の発明の効果に加えて、電線に作用した引っ張り力がコネクタに弱められて伝達され、また、第１電線通路部に配索された電線の箇所に引っ張り力が作用しても、第１通路部に配索されている電線は引き出し方向とほぼ同一方向にしか引っ張られず、引き出し方向の斜め方向に引っ張られない。従って、シールド部材が弾性変形してコネクタのキャビティに隙間ができることがなく、高い防水性を維持できる。
【００４９】
請求項３の発明によれば、第３通路部にはコルゲートチューブの外周形状に填り込む凹凸部が設けられているので、請求項１又は請求項２の発明の効果に加え、コルゲートチューブを連結できる。従って、コネクタ用プロテクタより引き出された電線をコルゲートチューブによって保護できる。
【００５０】
請求項４の発明によれば、第１通路部と第２通路部との方向変更角度、及び第２通路部と前記第３通路部との方向変更角度は、共にほぼ直角であるので、請求項１〜請求項３の発明の効果に加え、コネクタより引き出された電線は第１通路部及び第２通路部の境界箇所と、第２通路部及び第３通路部の境界箇所の２箇所でほぼ直角に折曲した状態で電線通路内に配索される。従って、電線の引っ張り力を十分に吸収できる。
【００５１】
請求項５の発明によれば、ベース部材とカバー部材とこれらを連結するヒンジ部とから構成され、ベース部材とカバー部材の互いの内面を開放する開放状態と、ベース部材とカバー部材の互いの接合面を合わせた組み付け状態との間でヒンジ部を介して変移自在に設けられているため、請求項１〜請求項４の発明の効果に加え、ベース部材とカバー部材とを組み付けしない開放状態としてベース部材の内面の電線通路部分に電線を配置し、その後にベース部材とカバー部材とを組み付け状態にすれば電線を電線通路に沿って配索できる。従って、電線の配索が容易にできる。
【００５２】
請求項６の発明によれば、組み付け状態でベース部材とカバー部材をロックするロック手段が設けられ、このロック手段は、ヒンジ部より遠い前記接合面側の箇所と、ヒンジ部に近い接合面側の箇所とにそれぞれ設けられたので、請求項５の発明の効果に加え、ヒンジ部に遠い側のみならず近い側もロック手段によってそれぞれロックされる。従って、ヒンジ部が破壊した場合にもベース部材とカバー部材の組み付け状態を保持できる。
【図面の簡単な説明】
【図１】本発明の実施の形態を示し、電線の端部に設けられた端子をコネクタに装着する前の状態を示す斜視図である。
【図２】本発明の実施の形態を示し、コネクタにコネクタ用プロテクタを装着する前の状態を示す斜視図である。
【図３】本発明の実施の形態を示し、コネクタにコネクタ用プロテクタを装着し、電線をベース部材の所定位置に配置した状態を示す斜視図である。
【図４】本発明の実施の形態を示し、図３の状態の平面図である。
【図５】本発明の実施の形態を示し、コルゲートチューブをベース部材に位置合わせした状態を示す斜視図である。
【図６】本発明の実施の形態を示し、ベース部材とカバー部材が組み付け状態であるコネクタ用プロテクタの断面図である。
【図７】従来例を示し、コネクタハウジングに端子を装着する状態を示す斜視図である。
【図８】従来例を示し、コネクタハウジングに端子を装着し終わった状態を示す斜視図にである。
【図９】従来例を示し、コネクタ及びコネクタ用プロテクタの断面図である。
【符号の説明】
１  コネクタ
２  コネクタハウジング
３  キャビティ
４  端子
５  ゴム部材（シールド部材）
１０  コネクタ用プロテクタ
１１  ベース部材
１１ａ  接合面
１２  カバー部材
１２ａ  接合面
１３  ヒンジ部
１６  電線通路
１７  第１通路部
１８  第２通路部
１９  第３通路部
２０  電線干渉リブ
２２  凹凸部
２３，２４，２５  ロック手段
３０  コルゲートチューブ
Ｗ  電線
【図１】
2004288545.tif 000003
【図２】
2004288545.tif 000004
【図３】
2004288545.tif 000005
【図４】
2004288545.tif 000006
【図５】
2004288545.tif 000007
【図６】
2004288545.tif 000008
【図７】
2004288545.tif 000009
【図８】
2004288545.tif 000010
【図９】
2004288545.tif 000011